Podtech/llm-jp-corpus-v4-ja_patent huggingface dataset:
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
経小腸供給装置であって、該装置が、
栄養組成物を受け取るための、該経小腸供給装置内の容器と、
該栄養組成物を該容器から出すための、該容器と流体連通する少なくとも１つの開口部と、
該栄養組成物を該容器内で受け取る場合、該栄養組成物がリパーゼに曝露されるように該容器内の１つ以上の構造に固定化されたリパーゼと
を含む、装置。
【請求項２】
前記経小腸供給装置の放出末端に位置するフィルターをさらに含む、請求項１に記載の装置。
【請求項３】
前記フィルターの孔が、１つ以上の構造よりも小さい、請求項２に記載の装置。
【請求項４】
注射器をさらに含む、請求項１に記載の装置。
【請求項５】
前記栄養組成物が前記容器から出る場合、前記リパーゼが前記容器内に留まるように、前記リパーゼが固定化されている、請求項１に記載の装置。
【請求項６】
前記栄養組成物が前記リパーゼに曝露される場合、前記リパーゼの固定化が、前記栄養組成物に流入するリパーゼの量を制限する、請求項１に記載の装置。
【請求項７】
前記リパーゼが、吸着、イオン結合、共有結合、架橋、カプセル化、または閉じ込めのうちの１つ以上によって固定化される、請求項１に記載の装置。
【請求項８】
前記リパーゼが、クロモバクテリウム・ビスコサムリパーゼ、シュードモナス・フルオレセンスリパーゼ、およびリゾプス・オリゼーリパーゼからなる群から選択される、請求項１に記載の装置。
【請求項９】
前記１つ以上の構造が、粒子、ボール、またはビーズを含む、請求項１に記載の装置。
【請求項１０】
栄養組成物を調製する方法であって、該方法が、
トリグリセリドを含む栄養組成物を請求項１に記載の装置を通過させ、該栄養組成物を固定化されたリパーゼに曝露してトリグリセリドの少なくとも一部を少なくとも部分的に加水分解する工程を含み、
該リパーゼへの曝露後に、該栄養組成物が、該リパーゼへの曝露前より少ないトリグリセリド、ならびに、該リパーゼへの曝露前より多いモノグリセリドおよび遊離脂肪酸を含有する、方法。
【請求項１１】
前記栄養組成物が、アルツハイマー病、双極性障害、抑鬱症、敗血症、急性呼吸ストレス、癌、心血管疾患、卒中、パーキンソン病、精神分裂症、糖尿病、多発性硬化症、栄養失調症、ＧＩ機能障害、リウマチ性関節炎、全身性エリテマトーデス、炎症性腸疾患、短小腸症候群、過敏性腸症候群、全身性炎症反応症候群、セリアック病、クローン病、嚢胞性線維症、ゾリンジャー−エリソン症候群、高トリグリセリド血症、新生物、ヘモクロマトーシス、原発性硬化性胆管炎、原発性胆汁性肝硬変、下痢症、シュワヒマン症候群、トリプシノーゲン欠損症、エンテロキナーゼ欠損症、乳糜胸症、リパーゼ単独欠損症、早産、膵機能不全、膵炎、吸収障害、膵臓の生産活動の欠陥、ＬＣ−ＰＵＦＡトリグリセリド又はＬＣ−ＰＵＦＡエステルを加水分解するための能力の低下、あるいはＬＣ−ＰＵＦＡトリグリセリド又はＬＣ−ＰＵＦＡエステルを吸収するための能力の低下を有する被験者に提供されることを特徴とする、請求項１０に記載の方法。
【請求項１２】
前記栄養組成物が前記リパーゼに曝露された場合、前記栄養組成物が、モノグリセリドよりも多くの遊離脂肪酸を含む、請求項１０に記載の方法。
【請求項１３】
前記栄養組成物が被験者に提供され、前記液体栄養組成物が、該被験者による摂取の前に、少なくとも１分間前記リパーゼに曝露される、請求項１０に記載の方法。
【請求項１４】
前記栄養組成物が被験者に提供され、前記液体栄養組成物が、該被験者による摂取の前に、少なくとも３０秒間前記リパーゼに曝露される、請求項１０に記載の方法。
【請求項１５】
前記栄養組成物が被験者に提供され、前記液体栄養組成物が、該被験者による摂取の前に、１分以下の間前記リパーゼに曝露される、請求項１０に記載の方法。
【請求項１６】
前記栄養組成物が被験者に提供され、前記液体栄養組成物が、該被験者による摂取の前に、５分以下の間前記リパーゼに曝露される、請求項１０に記載の方法。
【請求項１７】
前記栄養組成物が被験者に提供され、前記液体栄養組成物が、該被験者による摂取の前に、６０秒以下の間前記リパーゼに曝露される、請求項１０に記載の方法。
【請求項１８】
前記栄養組成物が、注射器から出す工程をさらに含む、請求項１０に記載の方法。
【請求項１９】
経小腸供給装置であって、該装置が、
栄養組成物を受け取るための、該経小腸供給装置内の容器と、
該栄養組成物を該容器から出すための、該容器と流体連通する第１の開口部と、
該栄養組成物を該容器から出すための、該容器と流体連通する第２の開口部と、
該容器内の１つ以上の構造に固定化されたリパーゼと
を含む、装置。
【請求項２０】
前記経小腸供給装置の放出末端に位置するフィルターをさらに含む、請求項１９に記載の経小腸供給装置。
【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
表示装置に表示すべき表示内容を特定するディスプレイリストを発行する画像制御手段と、
前記ディスプレイリストに基づく所定の画像データを、所定のＲＷメモリに完成させる画像生成手段と、
前記画像データの基礎データとなる各種の圧縮データを記憶するＣＧメモリと、を有して構成され、
前記ＲＷメモリには、動画用の圧縮データを展開する展開空間が設定可能に確保されている遊技機。
【手続補正２】
【補正対象書類名】明細書
【補正対象項目名】０００７
【補正方法】変更
【補正の内容】
【０００７】
上記の目的を達成するため、本発明に係る遊技機は、表示装置に表示すべき表示内容を特定するディスプレイリストを発行する画像制御手段と、前記ディスプレイリストに基づく所定の画像データを、所定のＲＷメモリに完成させる画像生成手段と、前記画像データの基礎データとなる各種の圧縮データを記憶するＣＧメモリと、を有して構成され、前記ＲＷメモリには、動画用の圧縮データを展開する展開空間が設定可能に確保されている。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
遊技を制御するための複数の電子部品が実装された制御基板と、前記制御基板を収納し透過性を有する収納部と、を有する制御手段と、
前記収納部に貼付され第１の透過性を有する第１シールと、
前記収納部に貼付され前記第１の透過性よりも透過性が高い第２の透過性を有する第２シールと、
前記制御基板に設けられ実行された遊技に関する所定の情報を表示する情報表示器と、を備え、
前記第１シールは、
固有情報が形成される所定の領域を有することにより前記第２の透過性よりも透過性が低く、
透過性が低い領域である複数の有色領域を有し、
前記複数の有色領域のうちの第１有色領域と前記第１有色領域とは異なる第２有色領域との間で所定の文字が付されていない前記所定の領域において、前記収納部に収納されている前記制御基板の電子部品を視認可能であり、
前記情報表示器は、
前記収納部の外側から視認可能な位置であって、前記第１シールおよび前記第２シールによって視認性が阻害されない位置に設けられていることを特徴とする遊技機。
【手続補正２】
【補正対象書類名】明細書
【補正対象項目名】０００７
【補正方法】変更
【補正の内容】
【０００７】
［適用例１］
上記課題を解決するため、本願の適用例１の遊技機は、遊技を制御するための複数の電子部品（電子部品５９５）が実装された制御基板（制御基板５０１）と、前記制御基板を収納し透過性を有する収納部（ケース部１８０３）と、を有する制御手段（主制御基板３００）と、前記収納部に貼付され第１の透過性を有する第１シール（シール部１５６０）と、前記収納部に貼付され前記第１の透過性よりも透過性が高い第２の透過性を有する第２シール（シール部１５６１）と、前記制御基板に設けられ実行された遊技に関する所定の情報を表示する情報表示器（情報表示器１７５０）と、を備え、前記第１シールは、固有情報が形成される所定の領域（第１の領域１８１４）を有することにより前記第２の透過性よりも透過性が低く、透過性が低い領域である複数の有色領域（有色領域１５７５）を有し、前記複数の有色領域のうちの第１有色領域と前記第１有色領域とは異なる第２有色領域との間で所定の文字が付されていない前記所定の領域において、前記収納部に収納されている前記制御基板の電子部品を視認可能であり、前記情報表示器は、前記収納部の外側から視認可能な位置であって、前記第１シール部および前記第２シール部によって視認性が阻害されない位置に設けられていることを要旨とする。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
遊技を制御するための複数の電子部品が実装された制御基板と、前記制御基板を収納し透過性を有する収納部と、を有する制御手段と、
前記収納部に貼付され第１の透過性を有する第１シールと、
前記収納部に貼付され前記第１の透過性よりも透過性が高い第２の透過性を有する第２シールと、を備え、
前記第１シールは、
模様によって固有情報が形成される所定の領域を有することにより前記第２の透過性よりも透過性が低く、
透過性が低い領域である複数の有色領域を有し、
前記複数の有色領域のうち第１の情報を記載可能な第１有色領域と前記第１の情報とは異なる第２の情報を記載可能な第２有色領域との間で所定の文字が付されていない前記所定の領域において、前記収納部に収納されている前記制御基板の電子部品を視認可能であり、
前記第１シールにおける第１位置と、前記第１位置と異なる位置である第２位置と、では異なる種類の所定の加工が施されていることを特徴とする遊技機。
【手続補正２】
【補正対象書類名】明細書
【補正対象項目名】０００７
【補正方法】変更
【補正の内容】
【０００７】
［適用例１］
上記課題を解決するため、本願の適用例１の遊技機は、遊技を制御するための複数の電子部品（電子部品５９５）が実装された制御基板（制御基板５０１）と、前記制御基板を収納し透過性を有する収納部（ケース部１８０３）と、を有する制御手段（主制御基板３００）と、前記収納部に貼付され第１の透過性を有する第１シール（シール部１５６０）と、前記収納部に貼付され前記第１の透過性よりも透過性が高い第２の透過性を有する第２シール（シール部１５６１）と、を備え、前記第１シールは、模様によって固有情報が形成される所定の領域（第１の領域１８１４）を有することにより前記第２の透過性よりも透過性が低く、透過性が低い領域である複数の有色領域（有色領域１５７５）を有し、前記複数の有色領域のうち第１の情報を記載可能な第１有色領域と前記第１の情報とは異なる第２の情報を記載可能な第２有色領域との間で所定の文字が付されていない前記所定の領域において、前記収納部に収納されている前記制御基板の電子部品を視認可能であり、前記第１シールにおける第１位置（固有情報１８０４）と、前記第１位置と異なる位置である第２位置（覗き部１５７４）と、では異なる種類の所定の加工が施されていることを要旨とする。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
遊技を制御するための制御基板と、前記制御基板に表面実装された複数の電子部品と、前記制御基板を収納し透過性を有する第１収納部と、を有する制御手段と、
前記第１収納部に貼付され第１の透過性を有する第１シールと、
前記第１収納部に貼付され前記第１の透過性よりも透過性が高い第２の透過性を有する第２シールと、
前記制御基板からの信号に基づいて演出を制御する演出基板と、前記演出基板に表面実装された複数の電子部品と、前記演出基板を収納し透過性を有する第２収納部と、を有する演出制御手段と、を備え、
前記第１シールは、
固有情報が形成される所定の領域を有することにより前記第２の透過性よりも透過性が低く、
透過性が低い領域である複数の有色領域を有し、前記複数の有色領域のうち第１情報を記入可能である第１有色領域と前記第１有色領域とは異なる第２情報を記入可能である第２有色領域との間で所定の文字が付されていない前記所定の領域において、前記第１収納部に収納されている前記制御基板の電子部品を視認可能であることを特徴とする遊技機。
【手続補正２】
【補正対象書類名】明細書
【補正対象項目名】０００７
【補正方法】変更
【補正の内容】
【０００７】
［適用例１］
上記課題を解決するため、本願の適用例１の遊技機は、遊技を制御するための制御基板（制御基板５０１）と、前記制御基板に表面実装された複数の電子部品（電子部品５９５）と、前記制御基板を収納し透過性を有する第１収納部（ケース部１８０３）と、を有する制御手段（主制御基板３００）と、前記第１収納部に貼付され第１の透過性を有する第１シール（シール部１５６０）と、前記第１収納部に貼付され前記第１の透過性よりも透過性が高い第２の透過性を有する第２シール（シール部１５６１）と、前記制御基板からの信号に基づいて演出を制御する演出基板（演出基板１８１２）と、前記演出基板に表面実装された複数の電子部品（電子部品５９５）と、前記演出基板を収納し透過性を有する第２収納部（ケース部１８２３）と、を有する演出制御手段と、を備え、前記第１シールは、固有情報が形成される所定の領域（第１の領域１８１４）を有することにより前記第２の透過性よりも透過性が低く、透過性が低い領域である複数の有色領域（有色領域１５７５）を有し、前記複数の有色領域のうち第１情報を記入可能である第１有色領域と前記第１有色領域とは異なる第２情報を記入可能である第２有色領域との間で所定の文字が付されていない前記所定の領域において、前記第１収納部に収納されている前記制御基板の電子部品を視認可能であることを要旨とする。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
遊技を制御するための複数の電子部品が実装された主制御基板と、前記主制御基板を収納し透過性を有する第１収納部と、を有する主制御手段と、
前記第１収納部に貼付され第１の透過性を有する第１シールと、
前記第１収納部に貼付され第２の透過性を有する第２シールと、
前記主制御基板に設けられ実行された遊技に関する所定の情報を表示する情報表示器と、
賞球を制御するための複数の電子部品が実装された賞球基板と、前記賞球基板を収納し透過性を有する第２収納部と、を有する賞球制御手段と、
前記第２収納部に貼付され前記第１の透過性とは異なる第３の透過性を有する第３シールと、を備え、
前記第１シールは、
模様によって固有情報が形成される所定の領域を有することにより前記第２の透過性よりも透過性が低く、
透過性が低い領域である複数の有色領域を有し、
前記複数の有色領域のうちの第１有色領域と前記第１有色領域とは異なる第２有色領域との間で所定の文字が付されていない前記所定の領域において、前記第１収納部に収納されている前記主制御基板の電子部品を視認可能であり、
前記情報表示器は、
前記第１収納部の外側から視認可能な位置であって、前記第１シールおよび前記第２シールによって視認性が阻害されない位置に設けられていることを特徴とする遊技機。
【手続補正２】
【補正対象書類名】明細書
【補正対象項目名】０００７
【補正方法】変更
【補正の内容】
【０００７】
［適用例１］
上記課題を解決するため、本願の適用例１の遊技機は、遊技を制御するための複数の電子部品（電子部品５９５）が実装された主制御基板（制御基板５０１）と、前記主制御基板を収納し透過性を有する第１収納部（ケース部１８０３）と、を有する主制御手段（主制御基板３００）と、前記第１収納部に貼付され第１の透過性を有する第１シール（シール部１５６０）と、前記第１収納部に貼付され第２の透過性を有する第２シール（シール部１５６１）と、前記主制御基板に設けられ実行された遊技に関する所定の情報を表示する情報表示器（情報表示器１７５０）と、賞球を制御するための複数の電子部品（電子部品５９５）が実装された賞球基板（制御基板１８１１）と、前記賞球基板を収納し透過性を有する第２収納部（ケース部１８１３）と、を有する賞球制御手段と、前記第２収納部に貼付され前記第１の透過性とは異なる第３の透過性を有する第３シール（シール部１８１６）と、を備え、前記第１シールは、模様によって固有情報が形成される所定の領域（第１の領域１８１４）を有することにより前記第２の透過性よりも透過性が低く、透過性が低い領域である複数の有色領域（有色領域１５７５）を有し、前記複数の有色領域のうちの第１有色領域と前記第１有色領域とは異なる第２有色領域との間で所定の文字が付されていない前記所定の領域において、前記第１収納部に収納されている前記主制御基板の電子部品を視認可能であり、前記情報表示器は、前記第１収納部の外側から視認可能な位置であって、前記第１シールおよび前記第２シールによって視認性が阻害されない位置に設けられていることを要旨とする。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
遊技を制御するための複数の電子部品が実装された主制御基板と、前記主制御基板を収納し透過性を有する第１収納部と、を有する主制御手段と、
前記第１収納部に貼付され第１の透過性を有する第１シールと、
前記第１収納部に貼付され前記第１の透過性よりも透過性が高い第２の透過性を有する第２シールと、
賞球を制御するための複数の電子部品が実装された賞球制御基板と、前記賞球基板を収納し透過性を有する第２収納部と、を有する賞球制御手段と、
前記第２収納部に貼付され前記第１の透過性とは異なる第３の透過性を有する第３シールと、を備え、
前記第１シールは、
固有情報が形成される所定の領域を有することにより前記第２の透過性よりも透過性が低く、
透過性が低い領域である複数の有色領域を有し、
前記複数の有色領域のうち第１の情報を記入可能な第１有色領域と前記第１有色領域とは異なる第２の情報を記入可能な第２有色領域との間で所定の文字が付されていない前記所定の領域において、前記第１収納部に収納されている前記主制御基板の電子部品を視認可能であり、
前記第１シール及び前記第３シールは、
前記電子部品が透視可能な透過性であると共に、それぞれの透過性が異なることを特徴とする遊技機。
【手続補正２】
【補正対象書類名】明細書
【補正対象項目名】０００７
【補正方法】変更
【補正の内容】
【０００７】
［適用例１］
上記課題を解決するため、本願の適用例１の遊技機は、遊技を制御するための複数の電子部品（電子部品５９５）が実装された主制御基板（制御基板５０１）と、前記主制御基板を収納し透過性を有する第１収納部（ケース部１８０３）と、を有する主制御手段（主制御基板３００）と、前記第１収納部に貼付され第１の透過性を有する第１シール（シール部１５６０）と、前記第１収納部に貼付され前記第１の透過性よりも透過性が高い第２の透過性を有する第２シール（シール部１５６１）と、賞球を制御するための複数の電子部品（電子部品５９５）が実装された賞球制御基板（制御基板１８１１）と、前記賞球基板を収納し透過性を有する第２収納部（ケース部１８１３）と、を有する賞球制御手段と、前記第２収納部に貼付され前記第１の透過性とは異なる第３の透過性を有する第３シール（シール部１８１６）と、を備え、前記第１シールは、固有情報が形成される所定の領域（第１の領域１８１４）を有することにより前記第２の透過性よりも透過性が低く、透過性が低い領域である複数の有色領域（有色領域１５７５）を有し、前記複数の有色領域のうち第１の情報を記入可能な第１有色領域と前記第１有色領域とは異なる第２の情報を記入可能な第２有色領域との間で所定の文字が付されていない前記所定の領域において、前記第１収納部に収納されている前記主制御基板の電子部品を視認可能であり、前記第１シール及び前記第３シールは、前記電子部品が透視可能な透過性であると共に、それぞれの透過性が異なることを要旨とする。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
遊技を制御するための複数の電子部品が実装された主制御基板と、前記主制御基板を収納し透過性を有する第１収納部と、を有する主制御手段と、
前記第１収納部に貼付され第１の透過性を有する第１シールと、
前記第１収納部に貼付され第２の透過性を有する第２シールと、
賞球を制御するための複数の電子部品が実装された賞球基板と、前記賞球基板を収納し透過性を有する第２収納部と、を有する賞球制御手段と、
前記第２収納部に貼付され前記第１の透過性とは異なる第３の透過性を有する第３シールと、を備え、
前記第１シールは、
固有情報が形成される第１領域と、前記第１領域とは異なる固有情報が形成される第２領域と、を有することにより前記第２の透過性よりも透過性が低く、
透過性が低い領域である複数の有色領域を有し、
前記複数の有色領域のうちの第１有色領域と前記第１有色領域とは異なる第２有色領域との間で所定の文字が付されていない前記第１領域において、前記第１収納部に収納されている前記主制御基板の電子部品を視認可能であり、
前記第３シールは、
透過性が低い領域である複数の有色領域を有し、前記複数の有色領域のうちの第３有色領域と前記第３有色領域とは異なる第４有色領域との間で所定の文字が付されていない部分において、前記第２収納部に収納されている前記賞球基板の電子部品を視認可能であり、
前記第１シール及び前記第３シールは、
前記電子部品が透視可能な透過性であると共に、それぞれの透過性が異なることを特徴とする遊技機。
【手続補正２】
【補正対象書類名】明細書
【補正対象項目名】０００７
【補正方法】変更
【補正の内容】
【０００７】
［適用例１］
上記課題を解決するため、本願の適用例１の遊技機は、遊技を制御するための複数の電子部品（電子部品５９５）が実装された主制御基板（制御基板５０１）と、前記主制御基板を収納し透過性を有する第１収納部（ケース部１８０３）と、を有する主制御手段（主制御基板３００）と、前記第１収納部に貼付され第１の透過性を有する第１シール（シール部１５６０）と、前記第１収納部に貼付され第２の透過性を有する第２シール（シール部１５６１）と、賞球を制御するための複数の電子部品（電子部品５９５）が実装された賞球基板（制御基板１８１１）と、前記賞球基板を収納し透過性を有する第２収納部（ケース部１８１３）と、を有する賞球制御手段と、前記第２収納部に貼付され前記第１の透過性とは異なる第３の透過性を有する第３シール（シール部１８１６）と、を備え、前記第１シールは、固有情報が形成される第１領域（第１の領域１８１４）と、前記第１領域とは異なる固有情報（固有情報１８０４）が形成される第２領域（第２の領域１８１５）と、を有することにより前記第２の透過性よりも透過性が低く、透過性が低い領域である複数の有色領域（有色領域１５７５）を有し、前記複数の有色領域のうちの第１有色領域と前記第１有色領域とは異なる第２有色領域との間で所定の文字が付されていない前記第１領域において、前記第１収納部に収納されている前記主制御基板の電子部品を視認可能であり、前記第３シールは、透過性が低い領域である複数の有色領域（有色領域１８１７）を有し、前記複数の有色領域のうちの第３有色領域と前記第３有色領域とは異なる第４有色領域との間で所定の文字が付されていない部分において、前記第２収納部に収納されている前記賞球基板の電子部品を視認可能であり、前記第１シール及び前記第３シールは、前記電子部品が透視可能な透過性であると共に、それぞれの透過性が異なることを要旨とする。
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
動力式ボードビークルアセンブリであって、
前部および後部を有するフレキシブルデッキと、
前記前部の下方で前記デッキに連結された少なくとも一つのフロントホイールであって、前記フロントホイールは、第１の軸線を中心として旋回しかつ第２の軸線を中心として回転するよう構成された、少なくとも一つのフロントホイールと、
前記デッキと連結されたリアホイールと、
モーターおよび前記モーターに供給される電力量を制御するよう構成された制御ユニットと、
前記制御ユニットと通信するよう構成された遠隔制御装置と
を備え、
前記デッキは、前記デッキの前後方向軸線を中心とした交互方向に、ユーザーが前記後部に対して前記前部をねじることを可能とするために、前記後部に対する前記前部の回転を可能とする、動力式ボードビークルアセンブリ。
【請求項２】
前記リアホイールはハブモーターを備える、請求項１に記載のビークルアセンブリ。
【請求項３】
前記フロントホイールおよび前記リアホイールは、前記ビークルの前後方向軸線と整列させられる、請求項１に記載のビークルアセンブリ。
【請求項４】
前記フロントホイールの直径は前記リアホイールの直径とは異なる、請求項１に記載のビークルアセンブリ。
【請求項５】
前記フロントホイールの直径は前記リアホイールの直径と等しい、請求項１に記載のビークルアセンブリ。
【請求項６】
前記少なくとも一つのフロントホイールは、前記前部の下方で前記デッキと連結された二つのフロント旋回可能ホイールを備え、前記二つのフロントホイールは、前記フロントホイールのそれぞれの中心を通る軸線が、前記二つのフロントホイールが前記ビークルの前後方向軸線と平行に整列させられたとき、前記ビークルの前記前後方向軸線に対して直交するように整列させられる、請求項１に記載のビークルアセンブリ。
【請求項７】
前記二つのフロントホイールは前記デッキによって支持された取り付けブラケットによって支持されており、前記取り付けブラケットは前記デッキに対して動くように構成されている、請求項６に記載のビークルアセンブリ。
【請求項８】
前記取り付けブラケットは、前記デッキに対して旋回または揺動可能である、請求項７に記載のビークルアセンブリ。
【請求項９】
前記デッキの前記前部と前記後部との間に、回転カップリングまたはその他のねじり撓み促進構造体をさらに備える、請求項１に記載のビークルアセンブリ。
【請求項１０】
前記回転カップリングは、前記前部および前記後部を中立または整列相対位置へと付勢するための一つ以上のピボットアセンブリおよび／または付勢要素を含む、請求項９に記載のビークルアセンブリ。
【請求項１１】
前記デッキは、このデッキの上面に把持面を提供するために成形プラスチックプラットフォームをさらに備える、請求項１に記載のビークルアセンブリ。
【請求項１２】
前記デッキは、このデッキがねじれるかあるいは撓むことを可能とするために、前記前部と前記後部との間に、横方向に幅狭な部分をさらに備える、請求項１に記載のビークルアセンブリ。
【請求項１３】
横方向軸線が前記デッキの中点において前記デッキを二等分し、前記横方向軸線は前記デッキの前後方向軸線と直交し、前記デッキの前記前部は前記横方向軸線の前方の点まで狭くなり、かつ、前記幅狭な部分は前記横方向軸線の後方にある、請求項１２に記載のビークルアセンブリ。
【請求項１４】
前記デッキは、その長さの少なくとも中間点全体にわたって横方向の幅が比較的一定であり、かつ、動力源が前記デッキによって支持されている、請求項１に記載のビークルアセンブリ。
【請求項１５】
前記遠隔制御装置は前記リアホイールを制御する、請求項１に記載のビークルアセンブリ。
【請求項１６】
動力式パーソナルモビリティビークルであって、
デッキを有する本体であって、前記デッキはユーザーを支持するよう構成されており、前記デッキは前部と後部とを有する本体と、
第２の旋回ホイールから離間配置された第１の旋回ホイールであって、前記旋回ホイールのそれぞれは、前記デッキと連結されており、かつ、完全に前記デッキの下方に配置されている第１の旋回ホイールと、
前記本体に連結されかつ前記本体に推進力を提供するよう構成されたモーターと
を備え、
前記前部および前記後部は、前記前部および前記後部の両方よりも横方向に幅狭なネック部分によって離間させられ、これによって前記デッキは、前記ネックを通る前記ビークルの前後方向軸線の周りで、ねじれるかあるいは撓むことが可能となっている、動力式パーソナルモビリティビークル。
【請求項１７】
前記旋回ホイールのそれぞれは、前記旋回ホイールが前記本体の前後方向軸線と平行に方向付けられたときに前記旋回ホイールのそれぞれの中心を通る軸線が前記本体の前後方向軸線に対して直交するように、取り付けブラケットを介して前記本体の前記デッキに連結されている、請求項１６に記載のビークル。
【請求項１８】
前記取り付けブラケットのそれぞれは、前記デッキに対して動くように構成される、請求項１７に記載のビークル。
【請求項１９】
ビークルアセンブリであって、
請求項１６に記載の動力式パーソナルモビリティビークルと、
ビークル上の制御ユニットと無線通信するよう構成された遠隔制御装置であって、前記制御ユニットはプロセッサおよび受信機を備え、前記制御ユニットは前記モーターに供給される電力量を制御するよう構成される、ビークルアセンブリ。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
プロセッサを備える情報処理装置であって、
前記プロセッサは、
第１プレイヤから抽選に参加する第２プレイヤの募集を受け付け、
第２プレイヤから前記募集に対する応募を受け付けた場合に、前記第１プレイヤのＩＤと前記第２プレイヤのＩＤを関連付け、
前記応募を受け付けた後に、前記第１プレイヤと前記第２プレイヤによる抽選を実行し、
前記第１プレイヤが実行する抽選により選択された第１特典と前記第２プレイヤが実行する抽選により選択された第２特典を、前記第１プレイヤと前記第２プレイヤにそれぞれ付与する、情報処理装置。
【請求項２】
前記プロセッサは、前記第１特典を前記第２プレイヤに報知した後に、前記第２プレイヤから前記抽選の実行要求を受け付ける、請求項１に記載の情報処理装置。
【請求項３】
前記プロセッサは、
前記第１特典を前記第２プレイヤに報知した後に、前記抽選に関する複数の選択肢を前記第２プレイヤに提示し、
前記第２プレイヤが選択した選択肢に応じた第２特典を付与する、請求項１又は２に記載の情報処理装置。
【請求項４】
前記プロセッサは、
前記第１プレイヤから前記第１プレイヤの位置情報に関する条件を満たす第２プレイヤの募集を受け付け、
前記条件を満たす第２プレイヤからの応募を受け付けた場合に、前記第１プレイヤのＩＤと前記第２プレイヤのＩＤを関連付ける、請求項１から３のいずれか一項に記載の情報処理装置。
【請求項５】
前記プロセッサは、
前記第１プレイヤから前記第２プレイヤに対し前記抽選への参加条件を満たすためのデータを送信可能に制御し、
前記データを受信した第２プレイヤによる所定操作を受け付けた場合に、前記第１プレイヤのＩＤと前記第２プレイヤのＩＤを関連付ける、請求項１から３のいずれか一項に記載の情報処理装置。
【請求項６】
コンピュータが、第１プレイヤから抽選に参加する第２プレイヤの募集を受け付けることと、
コンピュータが、第２プレイヤから前記募集に対する応募を受け付けた場合に、前記第１プレイヤのＩＤと前記第２プレイヤのＩＤを関連付けることと、
コンピュータが、前記応募を受け付けた後に、前記第１プレイヤと前記第２プレイヤによる抽選を実行することと、
コンピュータが、前記第１プレイヤが実行する抽選により選択された第１特典と前記第２プレイヤが実行する抽選により選択された第２特典を、前記第１プレイヤと前記第２プレイヤにそれぞれ付与することと、を含む情報処理方法。
【請求項７】
第１プレイヤから抽選に参加する第２プレイヤの募集を受け付けるステップと、
第２プレイヤから前記募集に対する応募を受け付けた場合に、前記第１プレイヤのＩＤと前記第２プレイヤのＩＤを関連付けるステップと、
前記応募を受け付けた後に、前記第１プレイヤと前記第２プレイヤによる抽選を実行するステップと、
前記第１プレイヤが実行する抽選により選択された第１特典と前記第２プレイヤが実行する抽選により選択された第２特典を、前記第１プレイヤと前記第２プレイヤにそれぞれ付与するステップと、をコンピュータに実行させるためのプログラム。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
脊椎インプラントであって、
自家移植片を含む作用物質と、
折り畳み可能なポリマーメッシュシートであって、前記作用物質が配置された第１の表面、および手術中に前記シートを選択されたインプラント構成に配置するために前記第１の表面と接続可能な第２の表面を含む、折り畳み可能なポリマーメッシュシートと、
を含む、脊椎インプラント。
【請求項２】
前記シートは、平坦な構成と、前記選択されたインプラント構成との間で折り畳み可能である、請求項１に記載の脊椎インプラント。
【請求項３】
前記表面は、フックアンドループ構成によって接続可能である、請求項１に記載の脊椎インプラント。
【請求項４】
前記シートは、複数のパネルを含む、請求項１に記載の脊椎インプラント。
【請求項５】
脊椎インプラントであって、
作用物質と、
前記作用物質が配置された第１の表面、および手術中に前記カバーを選択された構成に配置するために前記第１の表面と接続可能な第２の表面とを含む、折り畳み可能なカバーと、
を含み、
前記第１の表面は、前記カバーの第１の側面に配置され、前記第２の表面は、前記カバーの第２の側面に配置されており、
前記第1の表面と前記第２の表面はフックアンドループ構成を有し、前記第１の面は前記フックアンドループ構成によって前記第２の表面に係合して接続する、
脊椎インプラント。
【手続補正書】
【提出日】令和3年5月21日(2021.5.21)
【手続補正１】
【補正対象書類名】明細書
【補正対象項目名】発明の名称
【補正方法】変更
【補正の内容】
【発明の名称】表面処理装置およびシート
【手続補正２】
【補正対象書類名】明細書
【補正対象項目名】０００４
【補正方法】変更
【補正の内容】
【０００４】
【特許文献１】特表２００８―５２９７５２号公報
【手続補正３】
【補正対象書類名】特許請求の範囲
【補正対象項目名】全文
【補正方法】変更
【補正の内容】
【特許請求の範囲】
【請求項１】
被処理面上を自走し、装着されるシートが前記被処理面を拭き処理する表面処理装置であって、
本体部を備え、該本体部は、
前記被理面上を走行する車輪と、
前記シートを前記被処理面に接触させるローラからなるシート接触体と、
前記車輪を回転させる車輪用モータと、
前記被処理面に接触している前記シートの接触部分を該被処理面に非接触になる位置へ移動させるシート移動用モータと、
制御部と、を有し、
該制御部は、
前記車輪用モータの駆動の制御と前記シート移動用モータの駆動の制御とを行う、
ことを特徴とする表面処理装置。
【請求項２】
被処理面上を自走し、装着されるシートが前記被処理面を拭き処理する表面処理装置であって、
本体部を備え、該本体部は、
前記被処理面上を走行する車輪と、
前記シートを前記被処理面に接触させるローラからなるシート接触体と、
前記車輪を回転させる車輪用モータと、
前記被処理面上に至る前の前記シートの前記被処理面に接触していない未接触部分を前記被処理面に接触する位置へ移動させるシート移動用モータと、
制御部と、を有し、
該制御部は、
前記車輪用モータの駆動の制御と前記シート移動用モータの駆動の制御とを行う、
ことを特徴とする表面処理装置。
【請求項３】
前記制御部は、
前記シートの移動を停止させている間に、前記車輪用モータの駆動の制御を行う、
ことを特徴とする請求項１または２記載の表面処理装置。
【請求項４】
前記制御部は、
前記シートを移動させている間に、前記車輪用モータの駆動の制御を行う、
ことを特徴とする請求項１から３のいずれか一項に記載の表面処理装置。
【請求項５】
前記制御部は、
前記本体部が第１の所定距離を移動したのちに、前記シートを移動させるように前記シート移動用モータの駆動の制御を行う、
ことを特徴とする請求項１から４のいずれか一項に記載の表面処理装置。
【請求項６】
前記制御部は、
前記本体部が第２の所定距離を移動する間に、前記シートの移動と停止を繰り返すように前記シート移動用モータの駆動の制御を行う、
ことを特徴とする請求項１から５のいずれか一項に記載の表面処理装置。
【請求項７】
前記制御部は、
前記本体部が第３の所定距離を移動するとき、
前記本体部が前記第３の所定距離を移動する間の前記シートの移動距離が該第３の所定距離よりも短くなるように、
または、前記本体部が前記第３の所定距離を移動する間の該本体部の移動速度が前記シートの移動速度よりも早い速度になるように、
前記シート移動用モータの駆動の制御を行う、
ことを特徴とする請求項１から６のいずれか一項に記載の表面処理装置。
【請求項８】
前記車輪は、
第１車輪と該第１車輪とは離間して配置された第２車輪と、を有し、
前記制御部は、
前記第１車輪と前記第２車輪を正逆回転可能で、かつ回転数を同じくまたは異ならせて回転させるように前記車輪用モータの駆動の制御を行う、
ことを特徴とする請求項１から７のいずれか一項に記載の表面処理装置。
【請求項９】
前記本体部は、
前記シートに向けて、または前記シート接触体に向けて液体を射出する液体射出部を有し、
前記制御部は、
前記液体射出部からの前記液体の射出の制御を行う、
ことを特徴とする請求項１から８のいずれか一項に記載の表面処理装置。
【請求項１０】
前記本体部は、
使用者による操作を受けて、前記液体射出部から射出された前記液体を前記シートが含有して拭き清掃を行う湿式清掃モードと、前記液体射出部からの前記液体を前記シートが付与されずに拭き清掃を行う乾式清掃モードのいずれか一方を選択する操作部を有し、
前記制御部は、
前記操作部により前記湿式清掃モードが選択されたときに、前記液体射出部からの前記液体の射出の制御を行う、
ことを特徴とする請求項９に記載の表面処理装置。
【請求項１１】
請求項１から１０のいずれか一項に記載の表面処理装置に装着されるシート。
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
制御ユニット（３０）と、レーザアブレーション装置（１０）と、気体供給部（４０）とを有するレーザ加工システム（１）であって、前記レーザアブレーション装置（１０）が、レーザビーム（１４）を生成するためのレーザ（１２）と、該レーザ（１２）のレーザビーム（１４）を加工されるべきワークピース（２２）の表面（２０）へ向けるためのリダイレクト装置（１８）を含むレーザヘッド（１６）とを含んでおり、前記ワークピース（２２）が作業チャンバ（２８）内に配置された収容装置（２６）に配置されており、前記レーザヘッド（１６）と前記ワークピース（２２）の間の相対移動のために位置決め装置（３２）が設けられており、前記作業チャンバ（２８）が、気体のための少なくとも１つの入口（４６）及び少なくとも１つの出口（４８）を含んでいる、前記レーザ加工システムにおいて、
前記気体供給部（４０）が、前記作業チャンバ（２８）内での気体の流れを供給するように構成されており、前記気体の流れ（４４）の温度を調整するために温度システム（１１）が設けられており、前記温度システム（１１）が、前記気体の流れの温度を調整するための少なくとも１つの装置と、前記ワークピース（２２）の熱的な値及び／又は前記作業チャンバ（２８）における気体の熱的な値を特定するように構成された少なくとも１つの温度センサ（８４，８６）とを含んでおり、これら熱的な値が、入ってくる気体の流れの温度を調整するために前記制御ユニット（３０）によって用いられることを特徴とするレーザ加工システム。
【請求項２】
前記気体が周囲からの空気であることを特徴とする請求項１に記載のレーザ加工システム（１）。
【請求項３】
前記気体供給部（４０）は、入ってくる前記気体の流れ（４４）がポンプ及び少なくとも１つの出口（４８）を用いて前記作業チャンバへ圧縮又は吸引されるように、気体供給構造部（４１）及び気体排出構造部（４２）を含んでいることを特徴とする請求項１又は２に記載のレーザ加工システム（１）。
【請求項４】
前記気体供給部（４０）が前記制御ユニット（３０）によって制御されることを特徴とする請求項１〜３のいずれか１項に記載のレーザ加工システム（１）。
【請求項５】
前記少なくとも１つの装置が熱交換器（８０）として構成されていることを特徴とする請求項１〜４のいずれか１項に記載のレーザ加工システム（１）。
【請求項６】
前記温度システム（１１）の前記少なくとも１つの温度センサ（８４，８６）が、前記ワークピース（２２）の熱的な値を設定するために構成されていることを特徴とする請求項１〜５のいずれか１項に記載のレーザ加工システム（１）。
【請求項７】
前記温度システム（１１）の前記少なくとも１つの温度センサ（８４，８６）が、前記作業チャンバ（２８）における気体の熱的な値を設定するために構成されていることを特徴とする請求項１〜６のいずれか１項に記載のレーザ加工システム（１）。
【請求項８】
前記温度センサ（８４，８６）によって設定された温度が、入ってくる前記気体の流れ（４４）の温度をあらかじめ設定された値へ調整するように前記熱交換器（８０）を制御するために前記制御ユニット（３０）によって用いられることを特徴とする請求項６又は７に記載のレーザ加工システム（１）。
【請求項９】
入ってくる前記気体の流れ（４４）が、前記作業チャンバ（２８）へ入る前に、フィルタ手段を通過することを特徴とする請求項１〜８のいずれか１項に記載のレーザ加工システム（１）。
【請求項１０】
アブレーションデブリが部分的に収集されるようにトレイ（８８）が配置されていることを特徴とする請求項１〜９のいずれか１項に記載のレーザ加工システム（１）。
【請求項１１】
フィルタ手段が、アブレーションデブリを吸収するように適合された前記気体排出構造部（４２）に配置されていることを特徴とする請求項１〜１０のいずれか１項に記載のレーザ加工システム（１）。
【請求項１２】
前記作業チャンバ（２８）が二重壁によって限定されていることを特徴とする請求項１〜１１のいずれか１項に記載のレーザ加工システム（１）。
【請求項１３】
前記作業チャンバ（２８）の前記二重壁が断熱材料で満たされた隙間を提供することを特徴とする請求項１２に記載のレーザ加工システム（１）。
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
表面側から順に第１ハードコート、及び透明樹脂フィルムの層を有し、
上記第１ハードコートは、
（Ａ）（ａ１）多官能（メタ）アクリレートと（ａ２）多官能チオールとの共重合体 １００質量部；及び、
（Ｂ）撥水剤  ０．０１〜７質量部；
を含み、かつ無機粒子を含まない塗料からなる；
ハードコート積層フィルム。
【請求項２】
表面側から順に第１ハードコート、及び透明樹脂フィルムの層を有し、
上記第１ハードコートは、
（Ａ）（ａ１）多官能（メタ）アクリレートと（ａ２）多官能チオールとの共重合体；及び、
（Ｂ）撥水剤；
を含み、かつ無機粒子を含まない塗料からなり；
下記特性（イ）を満たすハードコート積層フィルム。
（イ）ハードコート積層フィルムを、上記第１ハードコートが表面になるようにＪＩＳ  Ｌ  ０８４９：２０１３の学振形試験機に置き、上記学振形試験機の摩擦端子に＃００００のスチールウールを取り付けた後、５００ｇ荷重を載せ、摩擦端子の移動速度３００ｍｍ／分、移動距離３０ｍｍの条件で、上記第１ハードコートの表面を往復９０００回擦った後、当該摩擦箇所を目視観察したとき、傷が認められない。
【請求項３】
表面側から順に第１ハードコート、及び透明樹脂フィルムの層を有し、
上記第１ハードコートは、
（α）活性エネルギー線により硬化してハードコートを形成する働きをする共重合体１００質量部；及び
（Ｂ）撥水剤０．０１〜７質量部
を含み、かつ無機粒子を含まない塗料から形成されており、
ここで上記成分（α）活性エネルギー線により硬化してハードコートを形成する働きをする共重合体が、（Ａ）（ａ１）多官能（メタ）アクリレートと（ａ２）多官能チオールとの共重合体からなる
ハードコート積層フィルム。
【請求項４】
表面側から順に第１ハードコート、及び透明樹脂フィルムの層を有し、
上記第１ハードコートは、
（α）活性エネルギー線により硬化してハードコートを形成する働きをする共重合体；及び
（Ｂ）撥水剤
を含み、かつ無機粒子を含まない塗料から形成されており；
ここで上記成分（α）活性エネルギー線により硬化してハードコートを形成する働きをする共重合体が、（Ａ）（ａ１）多官能（メタ）アクリレートと（ａ２）多官能チオールとの共重合体からなり；
下記特性（イ）を満たすハードコート積層フィルム：
（イ）ハードコート積層フィルムを、上記第１ハードコートが表面になるようにＪＩＳ  Ｌ０８４９：２０１３の学振形試験機に置き、上記学振形試験機の摩擦端子に＃００００のスチールウールを取り付けた後、５００ｇ荷重を載せ、摩擦端子の移動速度３００ｍｍ／分、移動距離３０ｍｍの条件で、上記第１ハードコートの表面を往復９０００回擦った後、当該摩擦箇所を目視観察したとき、傷が認められない。
【請求項５】
下記特性（ル）を満たす請求項１〜４の何れか１項に記載のハードコート積層フィルム：
（ル）試験速度を２ｍｍ／秒とし、試験回数を５回にしたこと以外は、ＪＩＳ Ｋ５６００−５−４：１９９９に従い、試験長さ２５ｍｍ、及び荷重７５０ｇの条件で測定した、上記第１ハードコート面の鉛筆硬度が３Ｈ〜９Ｈである。
【請求項６】
表面側から順に上記第１ハードコート、上記透明樹脂フィルムの層、及び第２ハードコートを有する請求項１〜５の何れか１項に記載のハードコート積層フィルム。
【請求項７】
上記第２ハードコートが上記（Ａ）（ａ１）多官能（メタ）アクリレートと（ａ２）１分子中に２個以上のチオール基を有する化合物との共重合体 １００質量部、及び（Ｃ）レベリング剤  ０．０１〜１０質量部を含む塗料からなる請求項６に記載のハードコート積層フィルム。
【請求項８】
表面側から順に上記第１ハードコート、第３ハードコート、及び上記透明樹脂フィルムの層を有し、
上記第３ハードコートは無機粒子を含む塗料からなる、
請求項１〜７の何れか１項に記載のハードコート積層フィルム。
【請求項９】
上記第３ハードコートが
（Ｆ）活性エネルギー線硬化性樹脂 １００質量部；及び、
（Ｄ）無機粒子  ３０〜３００質量部；
を含む塗料から形成されており、
ここで上記成分（Ｆ）活性エネルギー線硬化性樹脂が多官能（メタ）アクリレートと多官能チオールとの共重合体を含む、
請求項８に記載のハードコート積層フィルム。
【請求項１０】
上記第１ハードコートの厚みが８〜６０μｍである請求項１〜９の何れか１項に記載のハードコート積層フィルム。
【請求項１１】
上記（Ａ）共重合体の硫黄含有量が０．１〜１２質量％である請求項１〜１０の何れか１項に記載のハードコート積層フィルム。
【請求項１２】
上記（Ａ）共重合体のゲル浸透クロマトグラフィーにより測定した微分分子量分布曲線のポリスチレン換算質量平均分子量が５千〜２０万である請求項１〜１１の何れか１項に記載のハードコート積層フィルム。
【請求項１３】
上記（Ｂ）撥水剤が（メタ）アクリロイル基含有弗素系撥水剤を含む請求項１〜１２の何れか１項に記載のハードコート積層フィルム。
【請求項１４】
請求項１〜１３の何れか１項に記載のハードコート積層フィルムを含む物品。
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
ラインヘッドを備えたインクジェット記録装置を使用して記録媒体に画像を記録するインクジェット記録方法であって、
前記ラインヘッドは、水性インクを吐出する複数のノズルが所定方向に配列されて構成されたノズル列をそれぞれ有する複数の記録素子基板を備えるとともに、複数の前記記録素子基板は、隣接する前記記録素子基板の端部同士が前記所定方向において重複して重複部を構成するように、前記所定方向に配列されており、
前記重複部を構成する重複部ノズルから吐出される水性インクの平均温度Ｔｏ（℃）と、前記ノズル列の中央部を構成する中央部ノズルから吐出される水性インクの平均温度Ｔｃ（℃）とが、Ｔｃ＞Ｔｏの関係を満たし、
前記重複部ノズルからは、隣接する前記記録素子基板に割り振って前記水性インクを吐出することを特徴とするインクジェット記録方法。
【請求項２】
前記水性インクが、色材として顔料及び染料の少なくとも一方を含有する請求項１に記載のインクジェット記録方法。
【請求項３】
前記水性インクが、色材として顔料を含有する請求項１に記載のインクジェット記録方法。
【請求項４】
前記顔料が、（ｉ）樹脂分散剤により分散された顔料、及び（ｉｉ）その粒子表面に直接又は他の原子団を介してアニオン性基が結合した顔料の少なくとも一方である請求項２又は３に記載のインクジェット記録方法。
【請求項５】
前記水性インクが、界面活性剤を含有する請求項１乃至４のいずれか１項に記載のインクジェット記録方法。
【請求項６】
１ノズル当たりの水性インクの吐出量が、５．９ｎｇ／ドット以下である請求項１乃至５のいずれか１項に記載のインクジェット記録方法。
【請求項７】
前記水性インクの２５℃における動的表面張力が、３０ｍＮ／ｍ以上である請求項１乃至６のいずれか１項に記載のインクジェット記録方法。
【請求項８】
前記水性インクの２５℃における動的表面張力が、５０ｍＮ／ｍ以下である請求項１乃至７のいずれか１項に記載のインクジェット記録方法。
【請求項９】
前記中央部ノズルから吐出される水性インクの平均温度Ｔｃ（℃）が、４０℃以上である請求項１乃至８のいずれか１項に記載のインクジェット記録方法。
【請求項１０】
前記中央部ノズルから吐出される水性インクの平均温度Ｔｃ（℃）が、６０℃以下である請求項１乃至９のいずれか１項に記載のインクジェット記録方法。
【請求項１１】
前記重複部ノズルから吐出される水性インクの平均温度Ｔｏ（℃）が、２０℃以上４０℃以下である請求項１乃至１０のいずれか１項に記載のインクジェット記録方法。
【請求項１２】
前記重複部ノズルから吐出される水性インクの平均温度Ｔｏ（℃）と、前記中央部ノズルから吐出される水性インクの平均温度Ｔｃ（℃）とが、Ｔｃ−Ｔｏ≦１０の関係を満たす請求項１乃至１１のいずれか１項に記載のインクジェット記録方法。
【請求項１３】
前記ラインヘッドのインク吐出方式が、水性インクに熱エネルギーを付与する方式である請求項１乃至１２のいずれか１項に記載のインクジェット記録方法。
【請求項１４】
前記水性インクが吐出しない程度の電流を、前記水性インクに熱エネルギーを付与して吐出するためのヒータに繰り返し通電することで、
前記重複部ノズルから吐出される水性インクの平均温度Ｔｏ（℃）と、前記中央部ノズルから吐出される水性インクの平均温度Ｔｃ（℃）とが、Ｔｃ＞Ｔｏの関係を満たすように、前記ラインヘッド内の前記水性インクの温度を制御する請求項１３に記載のインクジェット記録方法。
【請求項１５】
複数の前記記録素子基板の配列態様が、千鳥状又はインライン状である請求項１乃至１４のいずれか１項に記載のインクジェット記録方法。
【請求項１６】
複数の前記記録素子基板の配列態様が、インライン状である請求項１乃至１４のいずれか１項に記載のインクジェット記録方法。
【請求項１７】
前記記録媒体が、コート紙又は非コート紙である請求項１乃至１６のいずれか１項に記載のインクジェット記録方法。
【請求項１８】
請求項１乃至１７のいずれか１項に記載のインクジェット記録方法に用いる、ラインヘッドを備えたインクジェット記録装置であって、
前記ラインヘッドは、水性インクを吐出する複数のノズルが所定方向に配列されて構成されたノズル列をそれぞれ有する複数の記録素子基板を備えるとともに、複数の前記記録素子基板は、隣接する前記記録素子基板の端部同士が前記所定方向において重複して重複部を構成するように、前記所定方向に配列されており、
前記重複部を構成する重複部ノズルから吐出される水性インクの平均温度Ｔｏ（℃）と、前記ノズル列の中央部を構成する中央部ノズルから吐出される水性インクの平均温度Ｔｃ（℃）とが、Ｔｃ＞Ｔｏの関係を満たすように、前記重複部ノズルから吐出される水性インクの平均温度Ｔｏ（℃）と、前記中央部ノズルから吐出される水性インクの平均温度Ｔｃ（℃）との関係を制御する手段をさらに備えることを特徴とするインクジェット記録装置。